(57)【要約】      （修正有）【課題】水道メーターの取り付け幅に微妙な誤差が生じていても、容易に取り付け幅を調整して水道メーターの交換を可能とする水道工具、また水圧によって困難を極める止水栓の交換作業を容易とする水道工具を提供する。【解決手段】水道工具は、ターンバックル本体が備えるストレート型のネジ棒の各々の先端に、水栓プラグを備えることを特徴とする。また、水道工具において、少なくとも一の水栓プラグの底面に貫通孔が形成されていることを特徴とする。【選択図】なし【特許請求の範囲】
【請求項１】
ターンバックル本体が備えるストレート型のネジ棒の各々の先端に、水栓プラグを備えることを特徴とする水道工具。
【請求項２】
少なくとも一の前記水栓プラグの底面に貫通孔が形成されていることを特徴とする請求項１に記載の水道工具。
【発明の詳細な説明】
【技術分野】
【０００１】
本発明は、水道メーターや止水栓の交換作業時に好適な水道工具に関する。
【背景技術】
【０００２】
従来、図２に示すように、水道のメーターボックスＢ内には、水道メーターＭ及び止水栓Ｓが収納されている。水道メーターＭは、計量法により使用期限が８年と決まっており、各自治体の水道部門が定期的に交換しているのが現状である。
【０００３】
水道メーターＭを交換する際は、止水栓Ｓを閉めて断水状態にする。つまり、止水栓Ｓを閉めてから古い水道メーターＭを取り外し、そこへ新しい水道メーターＭを取り付ける。このとき、古い水道メーターＭはなんとか取り外したものの、土地の変動や当初からの施工ミスによって新しい水道メーターＭの取り付け幅が本来の水道メーターＭの寸法よりミリ単位で下回っており、容易に取り付けできない場合がある。通常であれば、止水栓Ｓが備える伸縮部やエラスジョイントを調節する（縮ませる）ことによって多少の幅を確保することができる。しかし、何れの調節もできない、つまり遊び幅がない場合は、新しい水道メーターＭを取り付けることができない。従って、従来は無理やり配管をずらして新しい水道メーターＭを嵌め込んでいたが、人力で配管をずらして幅を広げることは非常に労力を要し、作業性も悪い。作業者が年配の方であれば、特に困難な作業となる。
【０００４】
その反対に、古い水道メーターＭを取り外したときに外線や内線が引っ張られて新しい水道メーターＭの取り付け幅をミリ単位で上回った場合も、止水栓Ｓ等が備える伸縮機能によって調節できない場合は配管を無理やりずらす必要があり、この場合も非常に労力を要する。
【０００５】
更に、止水栓Ｓが老朽化して断水状態にすることができない場合は止水栓Ｓから交換する必要があるが、止水栓Ｓの交換時には断水状態にすることが困難なため、外線からの水圧によって止水栓Ｓの取り付け作業も困難を極める。
【０００６】
そこで、水道メーターＭの交換作業を容易とすべく、種々のメーターユニットが種々開示されている（例えば、特許文献１及び特許文献２参照。）。特許文献１及び特許文献２に開示されたメーターユニットを介して水道メーターＭが取り付けられることによって、比較的容易に水道メーターＭの交換を行うことができるものと思料する。
【先行技術文献】
【特許文献】
【０００７】
【特許文献１】特開２００３−２２１８４７号公報
【特許文献２】特開２００９−１３８３７６号公報
【発明の概要】
【発明が解決しようとする課題】
【０００８】
しかしながら、水道メーターＭの取り付け構造としては、水道メーターＭの両側に備える雄ねじに対してナットを螺合して取り付ける螺着構造が一般的である。従って、水道メーターＭの取り付け幅が微妙に狭い、或いは微妙に広いといった場合に好適な水道工具がないため、人力に頼っているのが現状である。
【０００９】
また、特許文献１や特許文献２に開示されたメーターユニットを介して水道メーターＭが取り付けられていれば比較的容易に交換可能であるとは思われるが、予めメーターユニットを介して水道メーターＭが取り付けられている場合は少ない。新たにメーターユニットを取り付けるとなると、メーターユニットの取り付け作業時間を確保する必要があると共に、余分な費用も掛かる。
【００１０】
そこで本願発明者は、上記の問題点に鑑み、水道メーターＭの取り付け幅に微妙な誤差が生じていても、容易に取り付け幅を調整して水道メーターＭの交換を可能とする水道工具、また水圧によって困難を極める止水栓Ｓの交換作業を容易とする水道工具を提供するべく鋭意検討を重ねた結果、本発明に至ったのである。
【課題を解決するための手段】
【００１１】
即ち、本発明の水道工具は、ターンバックル本体が備えるストレート型のネジ棒の各々の先端に、水栓プラグを備えることを特徴とする。
【００１２】
また、本発明の水道工具において、少なくとも一の前記水栓プラグの底面に貫通孔が形成されていることを特徴とする。
【発明の効果】
【００１３】
本発明の水道工具によると、水道メーターや止水栓の交換を人力に頼ることなく容易に行うことができる。
【００１４】
また、本発明の水道工具において、少なくとも一の前記水栓プラグの底面に貫通孔を形成することによって、止水栓の交換作業時に外線からの水圧を低下させることができ、止水栓の交換作業をより容易に行うことが可能となる。
【図面の簡単な説明】
【００１５】
【図１】（ａ）は本発明の水道工具の一実施形態を示した平面図、（ｂ）は右側面図である。
【図２】従来のメーターボックス内を示した平面図である。
【図３】水道メーターを取り外した状態を示す平面図である。
【図４】図３の状態から本発明の水道工具を取り付けた状態を示す平面図である。
【図５】水道メーターと止水栓を取り外した状態を示す平面図である。
【図６】図５の状態から本発明の水道工具を取り付けた状態を示す平面図である。
【発明を実施するための形態】
【００１６】
以下、本発明の水道工具の実施形態を、図面に基づいて説明する。図１（ａ）は、本発明の一実施形態に係る水道工具１０の平面図、図１（ｂ）は水道工具１０の右側面図である。同図に示すように、本実施形態の水道工具１０は、ターンバックル本体１２が備えるストレート型のネジ棒１４，１６の各々の先端１４ａ，１６ａに、水栓プラグ１８，２０を備える。
【００１７】
そして、図１（ｂ）に示すように、水栓プラグ１８，２０のうち少なくとも一方の水栓プラグ（同図では水栓プラグ２０）には、その底面２２に複数の貫通孔２４が形成されていることが好ましい。水栓プラグ２０の底面２２に貫通孔２４を形成しておくことによって、止水栓Ｓの交換時、外線からの水圧を低下させることができ、止水栓Ｓの交換作業を容易にすることができる。なお、止水栓Ｓの交換手順については後述する。
【００１８】
以上の構成から成る本実施形態の水道工具１０によると、水道メーターや止水栓の交換を人力に頼ることなく容易に行うことができる。
【００１９】
以下に、本実施形態の水道工具１０を使用して水道メーターＭを交換する手順を図面に基づいて説明する。図２は従来のメーターボックスＢ内を示した平面図、図３は水道メーターＭを取り外した状態を示す平面図、図４は図３の状態から本実施形態の水道工具１０を取り付けた状態を示す平面図である。
【００２０】
まず、図２に示すメーターボックスＢ内の止水栓Ｓを閉めて断水状態とする。そして、水道メーターＭを螺着しているナットを外して水道メーターＭを取り外す（図３参照）。ここで、水道メーターＭを取り外すのが非常に困難であった場合、土地の変動や当初からの施工ミスによって新しい水道メーターＭの取り付け幅が本来の水道メーターＭの寸法よりミリ単位で下回っている可能性がある。この場合、新しい水道メーターＭを取り付けようとしても、内線Ｉ側と止水栓Ｓの間に新しい水道メーターＭが嵌らない状態となる。
【００２１】
そこで、図４に示すように、水道メーターＭの取り付け位置に、本実施形態の水道工具１０を取り付ける。同図では、内線Ｉ側に水道工具１０に係る水栓プラグ１８が螺合され、止水栓Ｓ側に水道工具１０に係る水栓プラグ２０が螺合される。
【００２２】
そして、ターンバックル本体１２を回して水道工具１０の全長を徐々に伸ばし、内線Ｉと止水栓Ｓの間を新しい水道メーターＭの幅より若干幅広の状態とする。この状態でしばらく放置することによって、新しい水道メーターＭの取り付け幅より若干広い状態で内線Ｉ及び止水栓Ｓの位置が維持されるため、水道工具１０を取り外して直ぐに新しい水道メーターＭを取り付ける。
【００２３】
一方、古い水道メーターＭを取り外した際に、外力等によって内線Ｉと止水栓Ｓの間隔が広がり、例えば新しい水道メーターＭと内線Ｉ側のナットを螺着したときに止水栓Ｓのナットと螺着できない場合も、本実施形態の水道工具１０を使用することによって、人力に頼ることなく容易に交換することができる。
【００２４】
すなわち、図４に示すように、水道メーターＭの取り付け位置に、本実施形態の水道工具１０を伸ばした状態で取り付け、ターンバックル本体１２を回して水道工具１０の全長を徐々に短くし、内線Ｉと止水栓Ｓの間を新しい水道メーターＭの幅程度とする。この状態でしばらく放置することによって、新しい水道メーターＭの取り付け幅と同幅程度の状態で内線Ｉ及び止水栓Ｓの位置が維持される。そして、水道工具１０を取り外して直ぐに新しい水道メーターＭを取り付けることによって、容易に水道メーターＭの交換作業を行うことができる。
【００２５】
以上のように、本実施形態の水道工具１０を使用することによって、労力を要することなく、簡単に水道メーターＭを交換することができる。
【００２６】
次に、本実施形態の水道工具１０を使用して止水栓Ｓを交換する手順について説明する。水道メーターＭの交換時に止水栓Ｓが損傷して断水状態とできない場合、水道メーターＭと共に止水栓Ｓを交換する必要がある。
【００２７】
まずは図５に示すように、水道メーターＭ及び止水栓Ｓを取り外す。このとき、外線Ｏ側からは大量の上水が噴出してくる。直ちに内線Ｉ側に本実施形態の水道工具１０を取り付ける（図６参照）。本実施形態に係る内線側の水栓プラグ１８には貫通孔２４が形成されていないため、内線側への泥水の浸入を防止することができる。
【００２８】
次に、水栓プラグ２０に止水栓Ｓを螺合する。このとき、水栓プラグ２０の底面２２には貫通孔２４が形成されているため、外線Ｏ側から噴出してくる上水を貫通孔２４から外部へ放出することができ、減圧することができる。
【００２９】
この状態で本実施形態の水道工具１０を徐々に伸ばしていくと、上水の水圧に抵抗しつつ止水栓Ｓを外線Ｏ側に密着させることができる。そして、外線Ｏ側のナットを止水栓Ｓの雄ねじに螺合することによって、水圧の影響を殆ど受けることなく容易に止水栓Ｓを外線Ｏ側に取り付けることができる。
【００３０】
新しい止水栓Ｓの取り付けが完了すれば、止水栓Ｓを閉めることによって断水状態にできるため、内線Ｉと止水栓Ｓの間に取り付けていた水道工具１０を取り外し、その位置に新しい水道メーターＭを取り付けることによって、止水栓Ｓ及び水道メーターＭの交換作業が完了する。
【００３１】
以上のように、本実施形態の水道工具１０によると、通常であれば上水の水圧によって非常に困難な止水栓Ｓの交換作業も容易に行うことができる。
【００３２】
以上に例示した本発明の一実施形態に係る水道工具１０は、本発明の技術的思想を実質的に限定するものと解してはならない。例えば、ターンバックル本体１２やネジ棒１４，１６の長さは特に限定されず、水道メーターＭの全長によって適宜選択される。また、水栓プラグ１８，２０の径も限定されず、一般的な水道設備で使用されている呼び径が適宜選択されて適用できる。本発明は、その要旨を逸脱しない範囲で、当業者の創意と工夫により、適宜に改良、変更又は追加をしながら実施できる。
【符号の説明】
【００３３】
１０：水道工具
１２：ターンバックル本体
１４，１６：ねじ棒
１８，２０：水栓プラグ
２２：底面
２４：貫通孔
Ｂ：メーターボックス
Ｍ：水道メーター
Ｓ：止水栓
【図１】
2018028257.tif 000002
【図２】
2018028257.tif 000003
【図３】
2018028257.tif 000004
【図４】
2018028257.tif 000005
【図５】
2018028257.tif 000006
【図６】
2018028257.tif 000007